(57)【要約】【課題】本発明は、単一の防水部材のみの簡略構造を採用しつつもヒンジ部分のガタによる影響を回避でき、捻れ、拠れに対しても完璧な構造簡単な水密構造とすることができるカメラ防水ケース機構を提供する。【解決手段】ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成するカメラ防水ケースであって、  前記ハウジング本体と裏蓋体との他方の側縁部に、一対の雄突起と一対の雌凹凸を一体的に設け、前記裏蓋体を前記ハウジング本体に対して定位置で蓋する際に互いに嵌合できるようにしたことを特徴とするカメラ防水ケース機構。【選択図】図１
2010008824.tif 000002
【特許請求の範囲】
【請求項１】
ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成するカメラ防水ケースであって、
前記ハウジング本体と裏蓋体との他方の側縁部に、一対の雄突起と一対の雌凹凸を一体的に設け、前記裏蓋体を前記ハウジング本体に対して定位置で蓋する際に互いに嵌合できるようにしたことを特徴とするカメラ防水ケース機構。
【発明の詳細な説明】
【技術分野】
【０００１】
本発明は、防水カメラハウジングに関し、詳しくは内部に収容するカメラについての水密機能を向上させたカメラ防水ケース機構に関するするものである。
【背景技術】
【０００２】
従来から知られている防水カメラハウジングは、ハウジング本体と、蓋部とをヒンジ結合により開閉可能に連結するとともに、蓋部の開口内側に防水シール部材を開口部の略１周にわたって配設してハウジング本体と密着させ、ハウジング本体内への浸水を防止するように構成することが一般的である。
【０００３】
しかし、ヒンジ部分の機構的制約から微小なガタの発生を避けることは難しく、このため、ヒンジ部分と反対側のハウジング本体の側縁部において蓋部が位置ずれし、ハウジング本体、蓋部の各開口内側に巡らせた防水シール部材がこの開口内側部分に密着しない箇所が発生し、水密構造が阻害され水漏れを招くという不都合を招いていた。
【０００４】
特許文献１には、筺体と蓋体との間を二つのＯリングを用いて二重に封止するとともに、漏水センサをも組み込んだ防水ハウジングが提案されている。
【０００５】
この特許文献１の場合、Ｏリングによる二重の封止構造及び漏水センサの設置という複雑な構造となっていた。
【０００６】
特許文献２には、開口部を有するハウジングと、前記開口部を施蓋する蓋部とを備え、開口部の部分に少なくとも２つの防水部材を配置し、２つの防水部材の間に浸水検出手段を設けた構成の防水ハウジングが提案されている。
【０００７】
この特許文献２の場合も、２つの防水部材、浸水検出手段を有する複雑な構造となっていた。
【特許文献１】特開平９−２６９５３４号公報
【特許文献２】特開２００６−１１９３７２号公報
【発明の開示】
【発明が解決しようとする課題】
【０００８】
本発明が解決しようとする問題点は、単一の防水部材のみの簡略構造を採用しつつもヒンジ部分のガタによる影響を回避でき、捻れ、拠れに対しても完璧な構造簡単な水密構造とすることができるカメラ防水ケース機構が存在しない点である。
【課題を解決するための手段】
【０００９】
本発明は、ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成するカメラ防水ケースであって、
前記ハウジング本体と裏蓋体との他方の側縁部に、一対の雄突起と一対の雌凹凸を一体的に設け、前記裏蓋体を前記ハウジング本体に対して定位置で蓋する際に互いに嵌合できるようにしたことを特徴とする。
【発明の効果】
【００１０】
本発明によれば、ハウジング本体と裏蓋体との他方の側縁部に、一対の雄突起と一対の雌凹凸を一体的に設け、前記裏蓋体を前記ハウジング本体に対して定位置で蓋する際に互いに嵌合できるようにしたので構造が簡単にして捻れに対しても強固で高い水密性を確保できるカメラ防水ケース機構を提供することができる。
【発明を実施するための最良の形態】
【００１１】
本発明は、ヒンジの反対側に簡単な雄突起、雌凹凸を形成して、これらを嵌合するので確実で高い水密性を確保できるカメラ防水ケース機構を提供するという目的を有する。
【００１２】
本発明は、ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成するカメラ防水ケースであって、
前記ハウジング本体と裏蓋体との他方の側縁部に、一対の雄突起と一対の雌凹凸を一体的に設け、前記裏蓋体を前記ハウジング本体に対して定位置で蓋する際に互いに嵌合できるようにしたことを構成によってハウジング本体と裏蓋体との嵌合を確かなものとし、前記錠機構部を挟んで一対の雄突起及び一対の雌凹凸を構成して単純な構造とした目的を実現した。
【実施例】
【００１３】
以下に、本発明の実施例に係るカメラ防水ケース機構について図この１乃至図２を参照して詳細に説明する。
【００１４】
本実施例に係る防水カメラハウジング１は、図１に展開状態（背面側）で、かつ、概略的に示すように、例えば合成樹脂材を主要要素とする略箱型状のハウジング本体２と、ハウジング本体２の開口部分を施蓋するハウジング本体２の形状に対応させた形状の裏蓋体３とを有している。
【００１５】
前記ハウジング本体２、裏蓋体３の一方の側縁部同士は、ヒンジ４を用いて開閉可能に連結し、裏蓋体３をハウジング本体２側に被せることで、これらの内部に図示しないが例えばデジタルカメラ、ビデオカメラ等のカメラを水密状態で収容する収容空間を形成するように構成している。
【００１６】
本実施例に係る防水カメラハウジング１は、相互に重なり合う前記ハウジング本体２、裏蓋体３の他方の側縁部間をロックし又はロック解除する錠機構部５を設けている。
【００１７】
すなわち、前記裏蓋体３の他方の側縁部には、錠機構部５を構成する係合体２１及び公知の構造からなる開閉ロックレバー３１を設け、また、前記ハウジング本体２の他方の側縁部には、前記係合体２１が当接する錠機構部５を構成する係合受体４１を設けている。
【００１８】
前記裏蓋体３の開口内側周辺部には、全周にわたって防水部材であるＯリング６を略四角形状を呈する状態に巡らせ、固定配置している。
また、前記ハウジング本体２の開口内側周辺部には、前記Ｏリング６の形状に対応させた形状のＯリング受段部７を全周にわたって設けている。
【００１９】
前記防水カメラハウジング１におけるハウジング本体２には、その上端に位置してアクセサリーシュー８、光ファイバー接続口９が設けられ、また、前記ハウジング本体２には、防水処理されたハウジング鏡筒部１０が設けられている。
【００２０】
この他、前記ハウジング本体２には、図示しないが公知のようにシャッターレバー、ディフューザレバー、その等の種々の要素が設けられているが、ここではその説明を省略する。
【００２１】
前記防水カメラハウジング１における裏蓋体３には、内部に収容するカメラの液晶モニタを視認するための透明材料からなり防水処理された画像モニタ窓１１が設けられ、さらに、図示しないが公知の種々の要素が設けられている。
【００２２】
次に、前記錠機構部５を挟んでヒンジ４の他方の側縁部には各々一対の雄突起１２，１３及び雌凹凸１４、１５が一体的に構成される。そして、この雄突起１２、１３と雌凹凸１４，１５は前記裏蓋体３とハウジング本体２とを閉じた際に互いに嵌合し、裏蓋体３とハウジング本体２とが平面方向に捻れたり、拠れたりすることを防止する。
【００２３】
次に、本実施例に係る防水カメラハウジング１の作用、効果について、前記錠機構５とともに雄突起１２，１３と雌凹凸１４，１５の密着結合動作を主に説明する。
【００２４】
本実施例に係る防水カメラハウジング１において、ハウジング本体２内に図示しないがカメラをセットし、裏蓋体３を前記ヒンジ４を支軸としてハウジング本体２側に回動操作し裏蓋体３を密着結合して、前記Ｏリング６をＯリング受段部７に密着させ、これらの内部にカメラを水密構造で収容する。
【００２５】
この場合において、裏蓋体３がハウジング本体２に密着する直前においては、図２に示すように、雄突起１２，１３と雌凹凸１４，１５は互いに一対一に対応し、前記裏蓋体３とハウジング本体２の密着の進行に従って、嵌合状態が確実なものになる。即ち、完全な密封状態に内部のカメラは確保されるのである。つまり、裏蓋体３とハウジング本体２との密封状態から両者の水平方向の捻れ、拠れ等の何らかの力が働いた場合でも比較的雄突起１２，１３と雌凹凸１４，１５はハウジンング本体２と裏蓋体３との外側に位置して構成された点と相まって簡単な構造で水密性を確保できるのである。尚図２は雄突起１２と雌凹凸１４との嵌合状態を示しているが、雄突起１３と雌凹凸１５とも同様に嵌合するものであるから雄突起１３と雌凹凸１５の嵌合の図は省略している。
【産業上の利用可能性】
【００２６】
本発明は、デジタルカメラ、ビデオカメラ等各種のカメラ用の防水カメラハウジングとして適用でき、また、箱型状の本体と蓋体とをヒンジ結合で連結する構造で、かつ、内部を防水仕様として測定機器等の対象物品を収容する各種防水ケース等に広範に応用可能である。
【図面の簡単な説明】
【００２７】
【図１】本発明の実施例に係るカメラ防水ケース機構の展開状態の平面図である。
【図２】本実施例に係る雄突起と雌凹凸の組み合わせ図である。
【符号の説明】
【００２８】
１    防水カメラハウジング
２    ハウジング本体
３    裏蓋体
４    ヒンジ
５    錠機構部
６    Ｏリング
７    Ｏリング受段部
８    アクセサリーシュー
９    光ファイバー接続口
１０    ハウジング鏡筒部
１１    画像モニタ窓
１２  １３  雄突起
１４，１５  雌凹凸
２１    係合体
３１    開閉ロックレバー
４１    係合受体
【図１】
2010008824.tif 000003
【図２】
2010008824.tif 000004
【手続補正書】
【提出日】平成20年7月3日(2008.7.3)
【手続補正２】
【補正対象書類名】図面
【補正対象項目名】全図
【補正方法】変更
【補正の内容】
【図１】
2010008824.tif 000005
【図２】
2010008824.tif 000006